(57)【要約】      （修正有）【課題】Ｘ線受像器のデータ量が伝送路の転送速度の制限を超える場合であっても、全体像を描画しながら関心領域を詳細に描画することが可能なＸ線画像診断装置及び画像転送方法を提供する。【解決手段】撮影装置１０と操作装置２０（表示装置２５）とが通信ケーブル２９（伝送路）を介して接続されたＸ線画像診断装置１において、撮影装置１０はＸ線画像を圧縮して転送する画像圧縮器１６を備える。画像圧縮器１６は、透視像のフレームレート、基準間引き数、及び転送限界値に応じてＲＯＩ（関心領域）のサイズを決定する。またＲＯＩの内側領域については間引きなし、ＲＯＩの外側領域については基準間引き数で間引き処理を行ってデータ量を縮小した圧縮画像を生成し、操作装置側へ転送する。操作装置は圧縮画像を復元する画像復元器を有する。【選択図】図１
2016168293.tif 000002
【特許請求の範囲】
【請求項１】
被写体にＸ線を照射するＸ線源及び前記被写体を透過したＸ線を検出するＸ線受像器を含む撮影装置と、
前記撮影装置と伝送路を介して通信接続され、前記Ｘ線受像器により検出したＸ線に基づいて生成されたＸ線画像を表示する表示装置と、
前記伝送路の転送限界値及び前記Ｘ線画像に設定された関心領域に基づいて前記関心領域の内側と外側とで異なる間引き数を設定し、設定した間引き数に基づきデータ量を前記転送限界値より縮小した圧縮画像を生成し、前記伝送路に出力する画像圧縮部と、
前記伝送路を介して前記画像生成部から転送された前記圧縮画像を元のサイズの画像に復元する復元処理部と、
復元された画像を前記表示装置に表示する表示制御部と、
を備えることを特徴とするＸ線画像診断装置。
【請求項２】
前記画像圧縮部は、前記関心領域の内側領域を間引きせず、前記関心領域の外側領域を所定の間引き数で間引き処理することにより前記圧縮画像を生成することを特徴とする請求項１に記載のＸ線画像診断装置。
【請求項３】
前記画像圧縮部は、前記関心領域の内側領域が高解像度、前記関心領域の外側領域が低解像度となるように前記間引き数を設定し、前記圧縮画像を生成することを特徴とする請求項１に記載のＸ線画像診断装置。
【請求項４】
前記撮影装置が透視像を撮影する場合に、透視像のフレームレートを指定するフレームレート指定部を備え、
前記画像圧縮部は、指定されたフレームレートに応じて前記関心領域のサイズを変更することを特徴とする請求項１に記載のＸ線画像診断装置。
【請求項５】
前記関心領域のサイズを指定する関心領域サイズ指定部を備え、
前記画像圧縮部は、指定された関心領域のサイズに応じて前記関心領域の外側及び内側のいずれか一方または両方の間引き数を設定し、設定した間引き数に基づく間引き処理を行うことを特徴とする請求項１に記載のＸ線画像診断装置。
【請求項６】
前記Ｘ線源から照射されるＸ線の照射野を制限するＸ線絞りを備え、
前記画像圧縮部は、前記Ｘ線絞りの位置の内側領域を前記関心領域の内側領域、Ｘ線遮蔽領域を前記関心領域の外側領域とし、前記Ｘ線絞りの位置に連動して前記関心領域の内側領域の間引き数を変更することを特徴とする請求項１に記載のＸ線画像診断装置。
【請求項７】
前記表示制御部は、復元された画像の全体像を表示するとともに前記関心領域の内側領域を拡大表示することを特徴とする請求項１に記載のＸ線画像診断装置。
【請求項８】
Ｘ線画像診断装置の撮影装置と表示装置とを通信接続する伝送路の転送限界値及びＸ線画像に設定された関心領域に基づいて、前記撮影装置に設けられる画像圧縮器が前記関心領域の内側と外側とで異なる間引き数を設定し、設定した間引き数に基づきデータ量を前記転送限界値より縮小した圧縮画像を生成するステップと、
前記画像圧縮器が前記伝送路に前記圧縮画像を出力するステップと、
前記伝送路を介して前記画像圧縮器に通信接続された画像復元器が、前記伝送路を介して転送された前記圧縮画像を元のサイズの画像に復元するステップと、
前記表示装置が復元された画像を表示するステップと、
を含むことを特徴とする画像転送方法。
【発明の詳細な説明】
【技術分野】
【０００１】
本発明はＸ線画像診断装置及び画像転送方法に係り、特に、大視野ＦＰＤで得た透視像の転送に好適な画像転送技術に関する。
【背景技術】
【０００２】
従来より、ＦＰＤ（Flat
Panel Detector）等のＸ線受像器により検出した透過Ｘ線データを画像化し表示するＸ線画像診断装置が利用されている。例えば、動画像である透視像を撮影する透視撮影装置では、ＦＰＤから操作卓の表示装置側へ画像を転送する際、通信ケーブルを介して送信することが多い。例えばギガビットイーサネット（登録商標）の論理速度は１［Ｇｂｐｓ］なので、１２５［ＭＢ／ｓｅｃ］の速度を持つ。また近年は３０００×３０００画素程度の大視野ＦＰＤが使用されることが多い。この大視野ＦＰＤの画像データ量は１枚当たり１８［ＭＢ］にもなる。そのため、動画の基準である３０［フレーム／秒］の速度で画像を転送する場合は、１８［ＭＢ］×３０［フレーム／秒］＝５４０［ＭＢ／ｓｅｃ］の転送速度が必要になり、ギガビットイーサネット（登録商標）の論理速度を超えてしまうという問題が生じている。
【０００３】
このように転送する画像データ量が伝送媒体の論理速度を超えてしまうような場合には、従来は、フレームレートを下げたり、またはフレームレートを下げずに画像全体にわたって一様に画素を間引いたり、或いは２×２、３×３等の周辺の画素を加算して１画素として画像全体の解像度を下げてから送信するという方法をとっていた。また、特許文献１には、大容量の画像データを低速の伝送ラインで転送する場合に、まずＸ線データ数を縮小して転送してプレビュー画像を表示し、その後、関心画像について不足Ｘ線データを要求して分解能が高い正式な画像を表示させる技術について記載されている。
【先行技術文献】
【特許文献】
【０００４】
【特許文献１】特開２００４−２６７６０１号公報
【発明の概要】
【発明が解決しようとする課題】
【０００５】
しかしながら、上述のフレームレートを下げる方法では、動画としての更新間隔があいてしまう。また、最初にＸ線データ数を縮小して転送してプレビュー画像を表示し、後から関心領域の詳細な画像を表示する方法では、リアルタイムの情報を見ることができないという問題があった。また、画素を間引く方法や複数の画素を加算して１画素とする方法では、診断部位も間引かれたり加算されたりしてしまい、正確な診断の妨げになってしまう。これでは大視野ＦＰＤの利点を十分に活用できないこととなる。
【０００６】
一方、例えばカテーテル先端部分を詳細に見たい場合、マトリクスサイズを大視野ＦＰＤの一部に制限することによりフレームレートを確保する方式がある。しかしながら、この場合は着目部位の周りの部分の情報が皆無となり、全体が見渡せず不便である。
【０００７】
本発明は、前述した問題点に鑑みてなされたものであり、その目的とすることは、Ｘ線受像器のデータ量が伝送路の転送速度の制限を超える場合であっても、全体像を描画しながら関心領域を詳細に描画することが可能なＸ線画像診断装置及び画像転送方法を提供することである。
【課題を解決するための手段】
【０００８】
前述した目的を達成するために第１の発明は、被写体にＸ線を照射するＸ線源及び前記被写体を透過したＸ線を検出するＸ線受像器を含む撮影装置と、前記撮影装置と伝送路を介して通信接続され、前記Ｘ線受像器により検出したＸ線に基づいて生成されたＸ線画像を表示する表示装置と、前記伝送路の転送限界値及び前記Ｘ線画像に設定された関心領域に基づいて前記関心領域の内側と外側とで異なる間引き数を設定し、設定した間引き数に基づきデータ量を縮小した圧縮画像を生成し、前記伝送路に出力する画像圧縮部と、前記伝送路を介して前記画像生成部から転送された前記圧縮画像を元のサイズの画像に復元する復元処理部と、復元された画像を前記表示装置に表示する表示制御部と、を備えることを特徴とするＸ線画像診断装置である。
【０００９】
また第２の発明は、Ｘ線画像診断装置の撮影装置と表示装置とを通信接続する伝送路の転送限界値及びＸ線画像に設定された関心領域に基づいて、前記撮影装置に設けられる画像圧縮器が前記関心領域の内側と外側とで異なる間引き数を設定し、設定した間引き数に基づきデータ量を縮小した圧縮画像を生成するステップと、前記画像圧縮器が前記伝送路に前記圧縮画像を出力するステップと、前記伝送路を介して前記画像圧縮器に通信接続された画像復元器が、前記伝送路を介して転送された前記圧縮画像を元のサイズの画像に復元するステップと、前記表示装置が復元された画像を表示するステップと、を含むことを特徴とする画像転送方法である。
【発明の効果】
【００１０】
本発明により、Ｘ線受像器のデータ量が伝送路の転送速度の制限を超える場合であっても、全体像を描画しながら関心領域を詳細に描画することが可能なＸ線画像診断装置及び画像転送方法を提供できる。
【図面の簡単な説明】
【００１１】
【図１】本発明に係るＸ線画像診断装置１の全体構成図
【図２】画像の圧縮、転送、及び復元に関する機能構成図
【図３】透視像５に設定されるＲＯＩ領域５１とＲＯＩ以外の領域５２について説明する図
【図４】透視像の転送処理の手順を示すフローチャート
【図５】設定画面６の一例
【図６】設定画面６においてフレームレート「１５［フレーム／秒］」が選択された状態
【図７】設定画面６においてフレームレート「３０［フレーム／秒］」が選択された状態
【図８】設定画面６においてフレームレート「６０［フレーム／秒］」が選択された状態
【図９】画像の圧縮処理の手順を説明する図
【図１０】画像の復元処理の手順を説明する図
【図１１】設定画面６においてＲＯＩ位置が移動操作された状態を示す図
【図１２】設定画面６においてＲＯＩサイズが変更操作された状態を示す図
【図１３】間引き数の態様について説明する図。（ａ）ＲＯＩ内を「間引きなし」としてＲＯＩ外の間引き数を算出する例、（ｂ）ＲＯＩ内とＲＯＩ外とで異なる間引き数を設定する例、（ｃ）ＲＯＩ外の間引き数を小さくして、「間引きなし」の領域（ＲＯＩ７４ｂ）を縮小した例、
【図１４】ＲＯＩサイズ（選択肢６８）を指定可能な設定画面６Ａの一例
【図１５】設定画面６ＡにおいてＲＯＩサイズ「５００（×５００）」が選択された状態
【図１６】Ｘ線絞り位置に応じて画像の間引き数を連動させる透視像の転送処理の手順を示すフローチャート
【図１７】Ｘ線絞り位置に応じた間引き数の例を示す図
【発明を実施するための形態】
【００１２】
以下、添付図面を参照しながら、本発明の好適な実施形態について詳細に説明する。
【００１３】
［第１の実施の形態］
まず、図１を参照して画像診断装置１の全体構成について説明する。
本発明に係るＸ線画像診断装置１は、被写体３にＸ線を照射して動画像である透視像を撮影するＸ線透視機能を有する装置である。以下の説明では、本発明に係るＸ線画像診断装置１の一例として、寝台下面にＸ線受像器１５が設けられたＸ線透視装置について説明するが、本発明はこれに限定されない。例えば、Ｃアーム型のＸ線透視装置等のように、Ｘ線管１２とＸ線受像器１５とが対向配置され、透視撮影を行うことが可能な全てのＸ線画像診断装置に適用できる。
【００１４】
図１に示すように、Ｘ線画像診断装置１は、撮影装置１０、操作装置２０、及び被写体３を寝載する寝台１４を備える。撮影装置１０と操作装置２０とは通信ケーブル２９（伝送路）を用いて通信接続される。
【００１５】
撮影装置１０は、高電圧発生装置１１及びＸ線管１２を備えたＸ線源、Ｘ線管１２に設けられるＸ線絞り１３、Ｘ線管１２に被写体３を介して対向配置されるＸ線受像器１５、Ｘ線受像器１５において検出した透過Ｘ線データに基づいて作成されるＸ線画像に対して間引き処理を施し圧縮画像を生成する画像圧縮器１６等を備える。操作装置２０は、画像復元器２２、記憶装置２３、入力装置２４、表示装置２５、及び制御装置２１等を備える。
【００１６】
Ｘ線源は、Ｘ線管１２及び高電圧発生装置１１を備え、高電圧発生装置１１から電力供給を受けてＸ線管１２から所定の線量のＸ線を発生させる。Ｘ線源の動作は制御装置２１から送信される制御信号に従って制御される。またＸ線源にはＸ線絞り１３が設けられる。Ｘ線絞り１３は複数のＸ線遮蔽板を有し、制御装置２１からの制御信号に従ってＸ線遮蔽板を移動させることにより所望の形状のＸ線照射領域を形成する。
【００１７】
Ｘ線受像器１５は、例えばシンチレータとフォトダイオードの組み合わせによって構成されるＸ線検出素子を２次元配列したフラットパネルディテクタ（ＦＰＤ）であり、被写体３を介してＸ線源に対向する位置に設けられる。例えば寝台１４の天板の下面にＸ線受像器１５が設置される。Ｘ線受像器１５は、Ｘ線管１２から照射され被写体３を透過したＸ線である透過Ｘ線を検出し、そのＸ線強度に応じた電気信号に基づいてＸ線画像を作成する。本実施の形態では、例えば３０００×３０００画素程度の画素数を有する大規模ＦＰＤを使用する場合を想定して説明するが、画素数はこれに限定されない。本発明に係る画像転送方法は、Ｘ線受像器１５にて得た画像データ量が通信ケーブル２９の速度を超えるすべての場合に適用できる。
【００１８】
Ｘ線受像器１５の各検出素子は、被写体３を透過したＸ線を検出し、その強度に応じた電気信号に変換し、変換した電気信号である透過Ｘ線データに基づいてＸ線画像を作成する。作成されたＸ線画像は画像圧縮器１６に送られる。
【００１９】
Ｘ線受像器１５と画像圧縮器１６とは専用ケーブル１９で接続されることが好ましい。またはケーブル等を介さずに直接接続される構成、或いは画像圧縮器１６がＸ線受像器１５に含まれ一体的な構造をなすものとしてもよい。
【００２０】
画像圧縮器１６は、Ｘ線受像器１５により作成されたＸ線画像に対し間引き処理を行って圧縮画像を作成する。間引き処理は、Ｘ線画像が通信ケーブル２９の転送限界値以下のデータ量となるように縮小する処理である。間引き処理の詳細については後述する。画像圧縮器１６は、作成した圧縮画像を通信ケーブル２９へ出力し、操作装置２０の画像復元器２２へ送信する。圧縮画像の先頭部には、ＲＯＩ情報や各領域の間引き数等、圧縮画像の復元に関する情報が付加情報として記録される。
【００２１】
通信ケーブル２９は、画像データの高速伝送が可能な伝送路であり、例えばギガビットイーサネット（登録商標）等が好適である。通信ケーブル２９は、操作装置２０と撮影装置１０との間で制御信号等を互いに伝送する制御ライン、及び画像圧縮器１６から画像復元器２２へ画像データを転送するデータラインを双方含む構成としてもよいし、制御ラインとデータラインとを別とする構成としてもよい。
【００２２】
画像復元器２２は、画像圧縮器１６から転送された圧縮画像を取得し、圧縮画像の先頭部に記録された付加情報に基づいて画像の復元（逆計算）を行う。これにより画像圧縮器１６で作成された圧縮画像を元のサイズのＸ線画像に戻す。画像の復元処理の詳細については後述する。画像復元器２２は、復元した画像を記憶装置２３に記憶するとともに表示装置２５へ送る。
【００２３】
記憶装置２３は、画像復元器２２により復元された画像を記憶する。また記憶装置２３には、透視撮影動作に関するプログラムや各種撮影条件、及び後述する画像転送処理に必要なプログラム及びデータ等が予め記憶されている。
【００２４】
制御装置２１は、ＣＰＵ（Central
Processing Unit）、ＲＯＭ（Read Only Memory）、ＲＡＭ（Random Access Memory）等により構成されるコンピュータである。制御装置２１は、入力装置２４から入力された入力信号に基づいてＸ線源におけるＸ線曝射の動作制御を行ったり、画像受像器１５における画像の作成、画像圧縮器１６及び画像復元器２２における画像の圧縮、転送、復元に関する処理、表示装置２５における表示動作等の制御を行う。
【００２５】
表示装置２５は、ＣＲＴや液晶パネル等により構成され、Ｘ線画像や制御装置２１から入力される表示データ等を表示する。本実施の形態では、表示装置２５は２つの表示画面６１、６２を有する例について説明するが（図５等参照）、表示画面の数は１つとしてもよいし、３つ以上の表示画面を有するものとしてもよい。
【００２６】
入力装置２４は、例えば、キーボードやマウス等の入力装置であり、操作者によって入力される各種の指示や情報を制御装置２１に入力する。操作者は、表示装置２５及び入力装置２４等の外部機器を使用して対話的に操作を行う。なお入力装置２４は、表示装置２５の表示画面と一体的に構成されたタッチパネル等としてもよい。
【００２７】
次に、図２を参照して、本発明に係るＸ線画像診断装置１の機能構成について説明する。図２に示すように、Ｘ線画像診断装置１は、間引き処理部１６１、画像生成部１６２、伝送路（通信ケーブル）２９、復元処理部２２１、制御部（制御装置）２１を有する。
【００２８】
間引き処理部１６１は、Ｘ線受像器１５から被写体３を透過したＸ線データを取得する。また間引き処理部１６１は、制御部（制御装置）２１から間引き処理に必要な情報であるＲＯＩ情報、フレームレート指定情報、転送限界値を取得する。間引き処理部１６１は、ＲＯＩ情報、フレームレート指定情報、転送限界値に基づいて動画像（透視像）の各フレームについて画像の間引き処理を行う。本発明の間引き処理では、間引き処理部１６１は、ＲＯＩ情報に基づいて１フレームのＸ線画像内に異なる間引き数の領域を設定する。つまり、詳細に描画する高解像度領域と、高解像度領域よりも低い解像度で描画する低解像度領域とを１フレームのＸ線画像内に設ける。例えば、関心領域（ＲＯＩ；Region of Interest）の内側領域（以下、ＲＯＩ内という）を高解像度領域とし、関心領域の外側領域（以下、ＲＯＩ外という）を低解像度領域とする。ＲＯＩは、後述するように操作者から指定された範囲及び位置の領域としてもよいし、画像圧縮器１６（間引き処理部１６１）が算出した範囲及び位置の領域としてもよい。
【００２９】
図３は、透視像５に設定される高解像度領域５１と低解像度領域５２の一例を示す図である。関心領域であるＲＯＩの内側領域を高解像度領域５１として鮮明に描画する一方で、ＲＯＩの周辺領域については間引き処理によって低解像度で描画する。これにより、画像のデータ量を通信ケーブル２９の転送限界値以下に収める。したがって、作成したＸ線画像のデータ量が大きく転送可能なデータ量を超える場合であっても転送可能となり、ＲＯＩ内については詳細な画像を得るとともに、ＲＯＩの周囲の情報も参照可能となる。
【００３０】
間引き処理部１６１は、間引き処理において高解像度領域５１及び低解像度領域５２の各領域の間引き数を設定、或いは算出する。例えば高解像度領域５１については、間引き数「０」（間引きなし）を設定して元のＸ線画像の解像度（Ｘ線受像器１５の最大の解像度）のデータ量とする。一方で、低解像度領域５２については、全体の画素数、１画素当たりのデータ量、ＲＯＩサイズ、及び転送限界値に応じて間引き数を算出する。間引き処理は、画素を間引く方法としてもよいし、周囲の複数の画素（２×２画素、３×３画素等）を加算して１画素とする方法としてもよい。
【００３１】
高解像度領域５１（ＲＯＩ内）を間引きなしとする場合、低解像度領域５２（ＲＯＩ外）の間引き数は、以下の式（１）により求められる。
【００３２】
【数１】
2016168293.tif 000003
【００３３】
例えば、全体の画像サイズを「３０００×３０００」、ＲＯＩサイズ（ＲＯＩ範囲）を「１０００×１０００」、１画素あたりのデータ量を２バイト、フレームレートを３０［フレーム／秒］、通信ケーブル２９の転送限界値を１２５ＭＢ／ｓｅｃとすると、式（１）により以下のようになる。
【００３４】
【数２】
2016168293.tif 000004
【００３５】
この場合、画像圧縮器１６は、ＲＯＩ内５１については間引きなし、ＲＯＩ外５２については「７．３８４」以上の間引き数で間引いた画像データを作成する。
【００３６】
画像生成部１６２は、間引き処理部１６１により各領域５１、５２に設定された間引き数でＸ線画像を間引き処理し、データ量を縮小した圧縮画像を生成する。画像生成部１６２は、生成した圧縮画像の例えば先頭部に画像復元に必要な情報を付加情報として追記する。画像復元に必要な情報は、例えば、ＲＯＩ情報（ＲＯＩの左上座標、右下座標）、１画素あたりのデータ量、全体の画素値、及び間引き数等である。画像生成部１６２は、これらの付加情報を含む圧縮画像を伝送路（通信ケーブル２９）へ出力し、復元処理部２２１へ転送する。
【００３７】
復元処理部２２１は、画像生成部１６２から転送された圧縮画像を取得し、復元処理を行う。復元処理では、復元処理部２２１は圧縮画像の先頭部に追記されている付加情報（ＲＯＩ情報（ＲＯＩの左上座標、右下座標）、１画素あたりのデータ量、全体の画素値、及び間引き数等）を参照して、各領域５１、５２の画像を元のサイズの画像に復元する。復元処理部２２１は、復元した画像（復元画像）を表示装置２５へ送る。表示装置２５は復元画像を、設定されたフレームレートで順次更新表示する。これにより動画像である透視像を表示する。
【００３８】
入力装置２４は、操作者から指定されたＲＯＩに関する情報（ＲＯＩ位置、ＲＩサイズ等）、フレームレート指定情報、間引き数に関する設定情報、転送限界値等、間引き数の算出に必要な情報を制御装置（制御部）２１に入力する。制御装置（制御部）２１は、これらの情報を入力するためのユーザインターフェースとして、例えば図５に示すような設定画面６を表示装置２５に表示することが望ましい。設定画面６については後述する。
【００３９】
制御装置（制御部）２１は、入力装置２４から入力されたＲＯＩ情報、フレームレート指定情報、或いは間引き数に関する設定情報等を間引き処理部１６１へ通知し、圧縮画像の生成動作を制御する。また、制御装置２１は画像復元器２２の復元処理部２２１に対して制御信号を送信し、画像の復元処理及び表示処理を行うよう制御する。
【００４０】
次に、図４〜図１２を参照して、透視像の転送処理について説明する。
透視撮影の開始に際して透視条件（Ｘ線条件等）が設定され、Ｘ線受像器１５の設置やＸ線絞り１３の調整等、撮影準備が完了しているものとする。また、透視像のフレームレートや透視像の初期表示における間引き数は所定の初期値が予め設定されているものとする。
【００４１】
操作者により透視像の撮影開始が指示されると、制御装置２１は透視撮影を開始する（ステップＳ１０１）。透視撮影では制御装置２１は高電圧発生装置１１に対して制御信号を送り、透視撮影用の管電圧、管電流をＸ線管１２に印加、供給する。Ｘ線管１２はＸ線を照射する。Ｘ線管１２から照射されたＸ線は、Ｘ線絞り１３によって照射野以外のＸ線が除去され、被写体３を透過してＸ線受像器１５に入射する。Ｘ線受像器１５は、受光したＸ線をその強度に応じた電気信号に変換し、変換した電気信号を透過Ｘ線データとして画像圧縮器１６に送る。
【００４２】
画像圧縮器１６は、予め初期設定されているフレームレートで透視像を作成する。透視像のデータ量が通信ケーブル２９の転送限界値を超えている場合は、ＲＯＩが設定される前は、所定の間引き数で画像全体を間引き処理した透視像を作成し、通信ケーブル２９を介して画像復元器２２に転送する。画像復元器２２は、間引き処理された透視像を復元して元の画像サイズで表示装置２５に表示させる（ステップＳ１０２）。
【００４３】
ＲＯＩの設定前であるステップＳ１０２における間引き処理では、画像圧縮器１６はＸ線画像全体を一様に間引き処理した圧縮画像を作成する。
例えばＦＰＤの画素数が３０００×３０００［個］、１画素あたりのデータを２［バイト］とすると、１フレームあたり１８［ＭＢ］のデータ量となる。フレームレートを３０［フレーム／秒］、通信ケーブル２９の転送限界値を１２５［ＭＢ／ｓｅｃ］とすると、間引き数は以下の式（２）で算出できる。
【００４４】
【数３】
2016168293.tif 000005
【００４５】
式（２）の計算により、画像全体を間引き数「４．３２」で間引くことにより画像のデータ量を縮小し、転送限界値を超えずに画像データを転送する。表示装置２５には、画像全体が一様に間引かれた画像が表示される。
【００４６】
次に、観察したい箇所の解像度を向上させるために、ステップＳ１０３以降の処理を行う。
【００４７】
制御装置２１は例えば画像設定メニューボタンの押下等、操作者からの操作に従って画像設定処理を開始する。制御装置２１は、画像設定のユーザインターフェースとして、例えば、図５に示す設定画面６を表示装置２５に表示する（ステップＳ１０３）。設定画面６では、操作者が透視像（動画）のフレームレートを指定するための選択欄６４、透視像７２の画像全体を表示するとともにＲＯＩを画像上で指定するための全体像表示欄６３が設けられる。また表示装置２５が２画面表示可能な構成の場合は、図５に示すように一方の画面（図５では右画面６２）を各種の設定項目を入力するための操作入力画面とし、他方の画面（図５では左画面６１）をＲＯＩ内の画像を拡大表示する拡大表示エリア７１として用いるようにしてもよい。表示装置２５が１画面で構成される場合は、１画面内に上述の操作入力画面と拡大表示エリア７１とを表示してもよいし、操作入力画面のみ表示するようにしてもよい。
【００４８】
図５に示すように、設定画面６の全体像表示欄６３には、高解像度領域（ＲＯＩ）とする範囲を示す枠線７３、７４、７５が、選択可能なフレームレート（１５／３０／６０）についてそれぞれ表示される。枠線７３はフレームレートが１５［フレーム／秒］の場合、枠線７４はフレームレートが３０［フレーム／秒］の場合、枠線７５はフレームレートが６０［フレーム／秒］の場合である。なお、このＲＯＩを示す枠線７３、７４、７５のサイズは、枠線内（ＲＯＩ内）を間引きなし、枠線外（ＲＯＩ外）を所定の基準間引き数で間引き処理した場合に画像全体のデータ量が転送限界値以内に収まる最大のサイズとすることが望ましい。このように選択肢であるフレームレートに応じたＲＯＩのサイズを全体像７２上に表示することで、間引きなし（高解像度）で得られるＲＯＩの最大サイズをフレームレート毎に確認できる。
【００４９】
なお、ＲＯＩを示す各枠線７３、７４、７５のサイズは上述の式（１）から算出できる。算出された各フレームレートに応じたＲＯＩの最大サイズは、予め記憶装置２３に記憶され、設定画面６を表示する際に制御装置２１により参照されるようにしてもよい。
【００５０】
なお、フレームレートは上述の選択肢６４に限らず、任意の数値を操作者が指定してもよい。この場合は、制御装置２１は数値指定されたフレームレートに応じたＲＯＩサイズを、上述の式（１）を用いて算出し、算出したＲＯＩサイズを示す枠線を全体像７２上に表示することが望ましい。この場合も、制御装置２１は、ＲＯＩ内を間引きなし、ＲＯＩ外を所定の基準間引き数として、指定フレームレートに応じたＲＯＩのサイズを算出すればよい。
【００５１】
設定画面６の選択欄６４において、操作者の操作によっていずれかのフレームレートが選択されると（ステップＳ１０４）、制御装置２１は、選択されたフレームレートに応じたＲＯＩサイズを記憶装置２３から読み出し、ＲＯＩサイズを示す枠線を全体像７２の所定の位置（例えば、中央）に表示する（ステップＳ１０５）。そして初期設定では間引き数は、ＲＯＩ（枠線）内については「間引きなし」、ＲＯＩ外については「基準間引き数」を設定する（ステップＳ１０６）。なお、後述するがＲＯＩの位置やサイズは任意に変更可能である。
【００５２】
制御装置２１は、Ｘ線受像器１５にて検出したＸ線に基づくＸ線画像を、ステップＳ１０５〜ステップＳ１０６で設定したＲＯＩ情報（ＲＯＩのサイズ及び位置）及び間引き数に従って間引き処理を行い、データ量を縮小した圧縮画像を生成する。また、制御装置２１は圧縮画像の先頭部分にＲＯＩの左上座標、右下座標、１画素当たりのデータ量、全体の画素値、間引き数等の付加情報を追記する。画像圧縮器１６は、圧縮画像をステップＳ１０４で設定したフレームレートに従って順次作成し、通信ケーブル２９を介して画像復元器２２へ順次転送する（ステップＳ１０７）。
【００５３】
画像復元器２２は、圧縮画像を受信すると復元処理を行って元の画像サイズに戻す。画像復元器２２は、復元処理により得た元のサイズの画像を表示装置２５に表示する（ステップＳ１０８）。
【００５４】
図６は設定画面６においてフレームレートとして１５［フレーム／秒］が選択された状態、図７は３０［フレーム／秒］が選択された状態、図８は６０［フレーム／秒］が選択された状態を示している。
設定画面６の右画面６２の全体像表示欄６３にはステップＳ１０４で選択されたフレームレートに応じたサイズのＲＯＩを示す枠線７３（７４、７５）が表示される。そして、左画面６１にはＲＯＩ内の画像が拡大表示される。
【００５５】
ここで、圧縮画像の作成の手順について、図９を参照して説明する。
図９（ａ）は、透視像１フレームの全体像５を示している。外側の線７０（実線）は元の画像サイズを示し、内側の枠線７４（破線）は、ＲＯＩを示している。画像内の四角形や円形は描画された被写体の各部を模式的に示したものである。
【００５６】
第１の実施の形態では、ＲＯＩ７４内の領域は、図９（ｂ）に示すように間引きなしで描画される。
一方、ＲＯＩ７４外の領域は、所定の間引き数で間引き処理される。これにより、間引き処理後の画像サイズは、図９（ｃ）に示すようにＲＯＩ７４外の領域が縮小され、ＲＯＩ７４内の画像は元のサイズを維持する。図９（ｄ）に示すような圧縮画像５５が作成される。
【００５７】
図１０を参照して、圧縮画像の復元について説明する。
画像復元器２２には、図１０（ａ）に示すような圧縮画像５５が転送される。圧縮画像５５には、付加情報としてＲＯＩの左上座標、右下座標、１画素当たりのデータ量、全体の画素値、間引き数等が付加されている。画像復元器２２は、この付加情報に基づいて、圧縮画像５５のＲＯＩ７４の位置とサイズ、及び元の画像サイズを算出し、間引かれた領域（ＲＯＩ７４と元のサイズ７０との間の領域）の各画素に補間により画素値を割り当てる。これにより圧縮画像５５を元のサイズ７０の画像に復元する。
【００５８】
制御装置２１は、図１０（ｃ）に示すように、表示装置２５の一方の画面６１にＲＯＩ７４内の画像７５を拡大表示し、他方の画面６２に復元された全体像７２を表示する。ＲＯＩを示す枠線７４内は間引きなし、枠線７４と元のサイズを示す線７０の間の領域は間引きされた後、復元処理によって画素値が割り当てられた画像となる。
【００５９】
表示装置２５は、設定されたフレームレートで順次転送され、復元された復元画像を更新表示する。これにより透視像（復元画像）の動画が表示される。
【００６０】
図４のフローチャートの説明に戻る。
透視像の撮影中に、制御装置２１はＲＯＩ位置の移動やＲＯＩサイズの変更を受け付ける。操作者によるマウス等の操作によってＲＯＩの位置が移動されると（ステップＳ１０９；Ｙｅｓ）、制御装置２１は、ＲＯＩ位置変更の指示を画像圧縮器１６に通知する。画像圧縮器１６は、通知されたＲＯＩ位置情報に基づいて、ＲＯＩ位置変更後の圧縮画像を生成する。ＲＯＩ位置が移動された場合、画像圧縮器１６は、変更後のＲＯＩ内については間引きなし、ＲＯＩ外はステップＳ１０６で設定されている間引き数で間引き処理を行って圧縮画像を生成する。生成された圧縮画像は通信ケーブル２９を介して操作装置２０の画像復元器２２へ転送される（ステップＳ１１０）。画像復元器２２はステップＳ１０８と同様に、転送された圧縮画像について復元処理を行い、元のサイズの画像に戻し、表示装置２５に表示する（ステップＳ１１１）。
【００６１】
図１１は、マウスによるＲＯＩのドラッグ操作等の所定の操作によって、ＲＯＩ位置が枠線７４の位置から枠線７４ａの位置へ移動された状態を示している。
ＲＯＩの移動操作後、制御装置２１は画像圧縮器１６に対して移動後のＲＯＩ情報を通知する。画像圧縮器１６は移動後のＲＯＩ情報を受信すると、移動後のＲＯＩ情報を用いて、透視像の圧縮画像を作成する。作成された圧縮画像は画像復元器２２にて復元されて表示装置２５に表示される。図１１に示すように、ＲＯＩ移動後は枠線７４ａの内側領域は間引きなし、枠線７４ａの外側領域は間引きありの画像となる。また、左画面６１には、移動後のＲＯＩ７４ａ内の画像（間引きなし）が拡大表示される。枠線７４ａの外側領域の間引き数は、ステップＳ１０６で設定された間引き数を維持する。
【００６２】
また、操作者によるマウス等の操作によってＲＯＩサイズが変更されると（ステップＳ１０９；Ｎｏ→ステップＳ１１２；Ｙｅｓ）、ステップＳ１０５へ戻り、制御装置２１は変更後のＲＯＩ情報（ＲＯＩの位置及びサイズ）を画像圧縮器１６に通知する。
【００６３】
画像圧縮器１６は、通知されたＲＯＩ情報に基づいてＲＯＩの外側領域の間引き数を算出する（ステップＳ１０６）。そして画像圧縮器１６は算出された変更後の間引き数に基づいて圧縮画像を生成する（ステップＳ１０７）。ＲＯＩサイズ変更後についても、ＲＯＩ７４ｂ内については間引きなし、ＲＯＩ７４ｂ外はステップＳ１０６で算出（設定）された間引き数で間引き処理した圧縮画像を生成する。生成された圧縮画像は通信ケーブル２９を介して操作装置２０の画像復元器２２へ転送される（ステップＳ１０７）。画像復元器２２は転送された圧縮画像について復元処理を行って画像サイズを元のサイズに戻し、表示装置２５に表示する（ステップＳ１０８）。
【００６４】
図１２は、マウス操作によってＲＯＩサイズが変更され、枠線７４に示すサイズから枠線７４ｂに示すサイズへ変更された状態を示している。操作方法は、例えば、ＲＯＩを示す枠線をマウスで選択した状態で現れるマークをドラッグ操作するといった操作方法が挙げられる。サイズの変更は縦横比の変更を含む。また、マウス操作ではなく変更後のＲＯＩサイズやＲＯＩ位置（座標）を数値入力するようにしてもよい。
【００６５】
図１２に示すように、ＲＯＩサイズ変更後は、枠線７４ｂ内は間引きなし、枠線７４ｂ外は間引きありの画像が作成され、全体像表示欄７２に表示される。また、左画面６１にはサイズ変更後のＲＯＩ７４ｂ内の画像（間引きなし）が拡大表示される。図１２の例では、ＲＯＩサイズが縮小されるため、ＲＯＩの外側領域の間引き数はサイズ変更前と比較して小さくできる。したがって、ＲＯＩ外の領域がサイズ変更前と比較して鮮明に描画される。なお、ＲＯＩサイズの変更は、ＲＯＩサイズの拡大でもよい。
【００６６】
図４のフローチャートの説明に戻る。
ＲＯＩ位置の移動やＲＯＩサイズの変更の操作が行われず（ステップＳ１０９；Ｎｏ、ステップＳ１１２；Ｎｏ）、撮影終了の指示がない場合は（ステップＳ１１３；Ｎｏ）、ステップＳ１０７へ戻り、ＲＯＩ設定や間引き数等は前の状態を維持して圧縮画像の生成、転送、復元、及び表示処理を繰り返し行う。
【００６７】
その後、撮影終了の指示が入力されると（ステップＳ１１３；Ｙｅｓ）、透視撮影を終了し、一連の透視像の転送処理を終了する。
【００６８】
以上説明したように、第１の実施の形態では、透視像のフレームレートを指定するユーザインターフェース（設定画面６）を設ける。画像圧縮器１６は、設定画面６を用いて指定されたフレームレートと、予め設定されている基準間引き数及び転送限界値に基づいてＲＯＩサイズを決定し、決定したサイズのＲＯＩの内側領域については間引きなし、ＲＯＩの外側領域については基準間引き数で間引き処理することにより圧縮画像を生成する。これにより、データ量が大きい大規模ＦＰＤで撮影された透視像を伝送路（通信ケーブル２９）の転送限界値を超えずに操作装置２０（表示装置２５）側へ転送可能とする。ＲＯＩ内については間引きなしの鮮明な画像を得ることができる一方で、ＲＯＩ外についても解像度を落とした画像を参照可能となる。
【００６９】
また、ＲＯＩ位置やＲＯＩサイズは操作者の操作によって任意に変更可能とする。ＲＯＩサイズが変更された場合は、画像圧縮器１６はＲＯＩ内は間引きなしのままとし、ＲＯＩ外の間引き数を、変更後のＲＯＩサイズ、フレームレート、及び転送限界値に基づいて算出し、この間引き数に基づいて間引き処理を行う。これにより操作者が自在にＲＯＩのサイズや位置を変更でき、かつＲＯＩ内を鮮明に画像化することが可能となる。
【００７０】
なお、設定画面６ではフレームレートを３種類の中から選択できる構成としたが３種類に限定されず、２種類、或いは４種類以上の中から選択できるようにしてもよい。また、任意の数値でフレームレートを指定可能としてもよい。また、ＲＯＩ外の間引き数の初期設定値である基準間引き数の値は任意であり、転送限界値やＦＰＤ（画像全体）のサイズに応じた値を適宜用いてよい。
【００７１】
また、本発明はカテーテル先をＲＯＩとする場合等にも適用できる。例えば、ステップＳ１０９のＲＯＩの移動を、カテーテル先の移動に連動するものとすれば、カテーテル先の移動に合わせてＸ線管及びＦＰＤを支持する支持器をその都度移動する必要がなく、カテーテル先のＲＯＩを常に高解像度で表示することが可能となる。
【００７２】
［第２の実施の形態］
第１の実施の形態の間引き処理では、図１３（ａ）に示すように、フレームレートに応じてＲＯＩサイズを決定し、ＲＯＩ７４内を間引きなし、ＲＯＩ７４外はＲＯＩ７４のサイズ及びフレームレートに応じた間引き数（例えば「８」等）を設定する例について説明したが、ＲＯＩ外のみならずＲＯＩ内についても適宜間引き数を設定し、間引き処理を行ってもよい。第２の実施の形態では、別の間引き数及びＲＯＩサイズの設定方法について説明する。
【００７３】
例えば図１３（ｂ）に示すように、ＲＯＩサイズを基準サイズ（例えば、図１３（ａ）のＲＯＩ７４と同じサイズ）とし、ＲＯＩ７４内の間引き数を増やす一方で、ＲＯＩ外の間引き数を減らすようにしてもよい。具体的には例えば、図１３（ｂ）に示すようにＲＯＩサイズを「１０００×１０００」、１画素あたりのデータ量が２バイト、全体の画像サイズを「３０００×３０００」、ＲＯＩ７４内の間引き数を「２」とし、フレームレートを３０［フレーム／秒］、通信ケーブル２９の転送限界値を１２５［ＭＢ／ｓｅｃ］とすると、ＲＯＩ外の間引き数は「５．３３」のように算出できる。
【００７４】
図１３（ｂ）の例では第１の実施の形態と比較して、ＲＯＩ内の解像度は少々小さくなるが、ＲＯＩ外（低解像度領域）の解像度が第１の実施の形態と比較して向上するため周辺領域の様子も視認しやすくなる。
【００７５】
また、図１３（ｃ）に示すように、高解像度領域（ＲＯＩ内）は間引きなし、低解像度領域（ＲＯＩ外）の間引き数を元の間引き数より小さくして、ＲＯＩのサイズを変更してもよい。この方法は観察対象が小さい場合等に好適である。観察対象が小さい場合はＲＯＩサイズを小さくできるため、ＲＯＩ外の解像度を向上できる。
【００７６】
なお、図１３（ｃ）の例において、高解像度領域（ＲＯＩ内）は間引きなしのまま、低解像度領域（ＲＯＩ外）の間引き数を元の間引き数より大きくすれば、ＲＯＩのサイズを大きく変更することも可能である。
【００７７】
以上説明したように、間引き処理では、画像全体のデータ量が通信ケーブル２９の転送限界値に収まる範囲内であれば、ＲＯＩ内とＲＯＩ外とで異なる間引き数（異なる解像度）を任意に設定してもよい。
これにより、操作者はＲＯＩ内とＲＯＩ外の画像の解像度を好みのバランスで調整可能となる。
【００７８】
［第３の実施の形態］
第１の実施の形態では、設定画面６（図５〜図８参照）においてフレームレートを指定（固定）してＲＯＩ外の間引き数を設定する例について説明したが、ＲＯＩサイズを指定（固定）してＲＯＩ外の間引き数を決定するようにしてもよい。この場合のユーザインターフェースとして、Ｘ線画像診断装置１は、例えば図１４に示す設定画面６Ａを用いる。図１４、１５を参照して第３の実施の形態について説明する。
【００７９】
制御装置２１は、画像設定のユーザインターフェースとして、例えば、図１４に示すような設定画面６Ａを表示する。図１４に示す設定画面６Ａには、操作者がＲＯＩサイズを指定するための選択欄６８が設けられる。透視像７２の画像全体を表示する全体像表示欄６３や、ＲＯＩ内の画像を拡大表示する拡大表示エリア７１については第１の実施の形態（図５〜図８）の設定画面６と同様であるので説明を省略する。
【００８０】
図１４に示すように、設定画面６Ａの全体像表示欄６３には、選択可能なＲＯＩサイズを示す枠線７３Ａ、７４Ａ、７５Ａがそれぞれ表示される。枠線７３ＡはＲＯＩサイズの選択肢６８ａ「５００（×５００）」に対応し、枠線７４ＡはＲＯＩサイズの選択肢６８ｂ「１０００（×１０００）」に対応し、枠線７５ＡはＲＯＩサイズの選択肢６８ｃ「１５００（×１５００）」に対応している。
【００８１】
図１５は、設定画面６Ａで選択肢６８ａのＲＯＩサイズ「５００（×５００）」が選択された状態を示している。全体像表示欄７２には選択されたＲＯＩサイズに対応する枠７５Ａが表示される。
【００８２】
制御装置２１は、選択されたＲＯＩサイズを画像圧縮器１６へ通知する。フレームレートや転送限界値は予め設定され画像圧縮器１６へ通知されているものとする。画像圧縮器１６は、選択されたＲＯＩサイズでＲＯＩ７５Ａ内を間引きなし（或いは操作者により指定された間引き数）として、ＲＯＩ７５Ａ外の間引き数を式（１）に基づいて算出する。また算出した間引き数でＲＯＩ内及びＲＯＩ外について間引き処理を行って圧縮画像を作成する。圧縮画像は、通信ケーブル２９を介して画像復元器２１へ転送され、復元処理されて表示装置２５に表示される。設定画面６Ａの全体像表示欄７２には、復元処理された画像の全体像が表示され、拡大表示欄にはＲＯＩ７５Ａ内の画像７８が拡大されて表示される。復元処理された画像の全体像では、ＲＯＩ７５Ａ内は間引きなしの画像（高解像度）が表示され、ＲＯＩ７５Ａ外は間引き処理された画像（低解像度）が表示される。
【００８３】
以上説明したように、Ｘ線画像診断装置１は、フレームレート及びＲＯＩサイズを固定、ＲＯＩ内を間引きなし（或いは固定の間引き数）として低解像度領域の間引き数を算出する。Ｘ線画像診断装置１は、指定されたＲＯＩサイズに基づいて転送限界値に収まるようにＲＯＩ外（低解像度領域）の間引き数を算出、設定する。これにより、観察対象の大きさに適合した圧縮画像を転送限界値を超えずに転送できるようになる。
【００８４】
なお、設定画面６Ａにおいても、第１の実施の形態と同様にＲＯＩ位置の変更やＲＯＩサイズの変更操作を行えることが望ましい。またＲＯＩ位置やＲＯＩサイズは数値指定できるようにしてもよい。また、第２の実施の形態の同様に、指定されたＲＯＩサイズに基づいて転送限界値に収まるものであれば、ＲＯＩ外（低解像度領域）のみならずＲＯＩ内（高解像度領域）の間引き数を算出、設定してもよい。
【００８５】
［第４の実施の形態］
次に、図１６、図１７を参照して第４の実施の形態について説明する。
第４の実施の形態では、画像圧縮器１６は、Ｘ線絞り１３の位置と間引き数とを連動させた間引き処理を実行する。
【００８６】
図１６のフローチャートを参照して、第４の実施の形態の転送処理について説明する。なお、透視撮影の開始に際し、透視条件（Ｘ線条件等）が設定され、Ｘ線受像器１５の設置やＸ線絞りの調整等、撮影準備が完了しているものとする。また、透視像のフレームレートや間引き数は所定の初期値が予め設定され、画像圧縮器１６に通知されているものとする。また転送限界値も画像圧縮器１６に通知されているものとする。
【００８７】
操作者により透視像の撮影開始が指示されると、制御装置２１は透視撮影を開始する（ステップＳ２０１）。透視撮影では制御装置２１は高電圧発生装置１１に対して制御信号を送り、所定の管電圧、管電流をＸ線管１２に印加、供給する。Ｘ線管１２はＸ線を照射する。Ｘ線管１２から照射されたＸ線は、Ｘ線絞り１３によって照射野以外のＸ線が除去され、被写体３を透過してＸ線受像器１５に入射する。Ｘ線受像器１５は、受光したＸ線の強度に応じた電気信号に変換し、変換した電気信号を透過Ｘ線データとして画像圧縮器１６に送る。
【００８８】
画像圧縮器１６は、Ｘ線絞り１３の絞り位置情報を取得する（ステップＳ２０２）。絞り位置は、例えばＸ線絞り１３に設けられたエンコーダ等の絞り位置計測器により常に計測され、制御装置２１に通知される。或いは、Ｘ線受像器１５における受光量（Ｘ線強度）に基づいて、制御装置２１がＸ線絞り１３の位置を算出してもよい。
【００８９】
画像圧縮器１６は、予め初期設定されているフレームレートで透視像を作成する。画像の一部にＸ線絞り１３によるＸ線遮蔽領域がある場合、画像圧縮器１６は、絞り位置の内側を高解像度領域（第１の実施の形態の「ＲＯＩ内」に対応する領域）、絞り位置の外側（Ｘ線遮蔽領域）を低解像度領域（第１の実施の形態の「ＲＯＩ外」に対応する領域）とする。絞り位置の外側であるＸ線遮蔽領域は、通常診断に使用しない領域であるため、画像圧縮器１６は、Ｘ線遮蔽領域の情報を除いた画像を転送する。または、Ｘ線遮蔽領域の間引き数を絞り位置の内側領域よりも大きく設定し、低解像度とする。或いは、Ｘ線遮蔽領域のフレームレートを下げて転送する。
【００９０】
画像圧縮器１６は絞り位置、フレームレート、及び転送限界値に応じて絞り位置の内側の間引き数を算出する（ステップＳ２０３）。
画像圧縮器１６は、ステップＳ２０３で算出した間引き数でＸ線画像を間引き処理し（ステップＳ２０４）、画像の先頭部に、間引き数やＲＯＩ（絞り位置）の左上座標、右下座標、１画素当たりのデータ量、全体の画素値、間引き数等の付加情報を追記して圧縮画像を作成する。画像圧縮器１６は、作成した圧縮画像を所定のフレームレートに従って順次作成し、通信ケーブル２９を介して画像復元器２２に転送する（ステップＳ２０５）。
【００９１】
画像復元器２２は、圧縮画像を受信すると復元処理を行って元の画像サイズに戻す。画像復元器２２は、復元処理により得た元のサイズの画像を表示装置２５に表示する（ステップＳ２０６）。画像復元器２２はＸ線絞り１３で遮蔽された領域（ＲＯＩ外）を黒塗りした画像を表示装置２５に表示する。
【００９２】
制御装置２１または画像圧縮器１６は、絞り位置を監視しており、絞り位置に変更があれば（ステップＳ２０７；Ｙｅｓ）、変更後の絞り位置を取得する（ステップＳ２０２）。画像圧縮器１６は、変更後の絞り位置に応じて絞り位置の内側領域（ＲＯＩ内）の間引き数を算出し、間引き処理を行い、圧縮画像を生成して、転送、復元、表示を行う（ステップＳ２０３〜ステップＳ２０６）。
【００９３】
絞り位置に変更がなく、撮影の終了指示もない場合は（ステップＳ２０７；Ｎｏ→ステップＳ２０８；Ｎｏ）、前の間引き数を維持して透視撮影を継続する（ステップＳ２０８；Ｎｏ→ステップＳ２０４〜ステップＳ２０６）。撮影の終了指示が入力されると（ステップＳ２０８；Ｙｅｓ）、透視撮影を終了する。
【００９４】
図１７（ａ）は、Ｘ線絞り位置を調整する前、図１７（ｂ）は、Ｘ線絞り位置を調整した後のＸ線画像を示す図である。符号８１、８１ＡはＸ線遮蔽領域、符号８２、８２ＡはＲＯＩの内側領域である。
図１７（ａ）に示すＸ線遮蔽領域８１から図１７（ｂ）に示すＸ線遮蔽領域８１ＡとなるようにＸ線絞りを調整し、ＲＯＩ範囲を広げた場合、図１７（ｂ）に示すようにＲＯＩ範囲８２Ａのデータ量が転送限界値以下となるように間引き数を増加する。
【００９５】
以上説明したように、第４の実施の形態ではＸ線画像診断装置１は、Ｘ線絞りの位置に連動して間引き数を適宜変更して圧縮画像を作成し、転送する。これにより、第１の実施の形態におけるＲＯＩの設定手順を省き、データ量を削減した圧縮画像を作成、転送できる。
【００９６】
［第５の実施の形態］
第１〜第３の実施の形態において、更に、ＲＯＩ外のフレームレートを下げることで、転送限界値を超えないデータ量でＲＯＩ範囲を拡大することも可能である。
【００９７】
例えば、ＲＯＩ内のフレームレートが３０［フレーム／秒］と設定されている場合に、ＲＯＩ外のみフレームレートを半分に下げて１５［フレーム／秒］とすれば、転送限界値を超えずにＲＯＩサイズを拡大できる。
【００９８】
具体的には、画像全体のサイズを「３０００×３０００」、１画素あたりのデータ量を２バイト、ＲＯＩ内のフレームレートを３０［フレーム／秒］、通信ケーブルの転送限界値を１２５ＭＢ／ｓｅｃとし、ＲＯＩ外のフレームレートを半分に下げて１５［フレーム／秒］とし、ＲＯＩ内のデータ量をｘ［ＭＢ］とし、ＲＯＩ外の間引き数を「８」にすると、式（１）は以下のようになる。
【００９９】
【数４】
2016168293.tif 000006
【０１００】
ｘ≒１０４．２８５［ＭＢ］なので、「１０００×１０００」であったＲＯＩサイズを例えば「１３１８×１３１８」等へと拡大できる。
【０１０１】
以上、各実施形態で説明したように、本発明のＸ線画像診断装置１によれば、通信ケーブル２９の論理速度に限界がある場合であっても、ＲＯＩの内側領域は詳細に（高解像度で）描画し、ＲＯＩの外側領域は間引き処理して低解像度とすることで観察対象を鮮明にしつつ、ＲＯＩ外も観察が可能となる。大視野ＦＰＤの全ての部分でフレームレートを落とすことなく動画表示を行えるようになる。
【０１０２】
なお、上述の各実施形態では、間引き処理では画素を間引く例を説明したが、近接する画素値を加算平均し画素数を減らすようにしてもよい。
【０１０３】
また、ＲＯＩ外の領域が線量減衰フィルタで囲われている場合は、復元処理においてＲＯＩ外の領域を線量減衰フィルタで減衰された分だけ積算補正するようにしてもよい。これにより、ＲＯＩ内とＲＯＩ外とで輝度が均一になり、線量低減とともに読影が行いやすい画像を作成できる。
【０１０４】
以上、各実施の形態において、本発明の好適なＸ線画像診断装置について説明したが、本発明は上述の実施形態に限定されるものではない。当業者であれば、本願で開示した技術的思想の範疇内において、各種の変更例または修正例に想到し得ることは明らかであり、それらについても当然に本発明の技術的範囲に属するものと了解される。
【符号の説明】
【０１０５】
１・・・・・Ｘ線画像診断装置
１０・・・・撮影装置
１１・・・・高電圧発生部
１２・・・・Ｘ線管
１３・・・・Ｘ線絞り
１４・・・・寝台
１５・・・・表示部
１６・・・・画像圧縮器
１６１・・・間引き処理部
１６２・・・画像生成部
１９・・・・専用ケーブル
２０・・・・操作装置
２１・・・・制御装置
２２・・・・画像復元器
２２１・・・復元処理部
２３・・・・記憶装置
２４・・・・入力装置
２５・・・・表示装置
２９・・・・通信ケーブル（伝送路）
３・・・・・被写体
５・・・・・透視像
５１・・・・ＲＯＩ内（高解像度領域）
５２・・・・ＲＯＩ外（低解像度領域）
５５・・・・圧縮画像
６、６Ａ・・設定画面
６３・・・・全体像表示欄
６４・・・・選択欄
６５・・・・マウスポインタ
７３、７４、７５・・・ＲＯＩ
８１、８１Ａ・・・・Ｘ線遮蔽領域
８２、８２Ａ・・・・ＲＯＩ内
【図１】
2016168293.tif 000007
【図２】
2016168293.tif 000008
【図３】
2016168293.tif 000009
【図４】
2016168293.tif 000010
【図５】
2016168293.tif 000011
【図６】
2016168293.tif 000012
【図７】
2016168293.tif 000013
【図８】
2016168293.tif 000014
【図９】
2016168293.tif 000015
【図１０】
2016168293.tif 000016
【図１１】
2016168293.tif 000017
【図１２】
2016168293.tif 000018
【図１３】
2016168293.tif 000019
【図１４】
2016168293.tif 000020
【図１５】
2016168293.tif 000021
【図１６】
2016168293.tif 000022
【図１７】
2016168293.tif 000023